(57)【要約】【課題】  複雑な構造や機構を設けることなく軽量に構成し、連続的に液体を噴射できると共に、浸水による故障の発生がない、水中以外で使用できる水鉄砲玩具を提供する。【解決手段】  巻き軸３１を介して巻き上げられるゼンマイ機構３と、該ゼンマイ機構３の回転出力を往復運動に変換するクランク機構４と、該往復運動によりシリンダ５３内の液体を吐出口５４から噴射するポンプ機構５と、該ポンプ機構５と接続される弁体６２を備えた流通路６１を有する液体タンク６と、前記ゼンマイ機構３の作動停止をコントロールするスイッチ機構７とからなる水鉄砲玩具１。【選択図】  図１
2006223553.tif 000002
【特許請求の範囲】
【請求項１】
巻き軸を介して巻き上げられるゼンマイ機構と、該ゼンマイ機構の回転出力を往復運動に変換するクランク機構と、該往復運動によりシリンダ内の液体を吐出口から噴射するポンプ機構と、該ポンプ機構と接続される弁体を備えた流通路を有する液体タンクと、前記ゼンマイ機構の作動停止をコントロールするスイッチ機構とからなる水鉄砲玩具。
【請求項２】
前記ゼンマイ機構の巻き軸に着脱可能な形象物を設けてなることを特徴とする請求項１記載の水鉄砲玩具。
【発明の詳細な説明】
【技術分野】
【０００１】
本発明は、水鉄砲玩具に関する。更には、ゼンマイ機構を用いた水鉄砲玩具に関する。
【背景技術】
【０００２】
従来より、手動操作によりトリガー等を押圧することでピストンを作動させ、液体を圧縮して吐出口から液体を噴出する水鉄砲玩具が数多く適用されているが、押圧操作に一定以上の加重を必要とするため、年少者には扱い難いものであった。そこで、前記玩具の応用として、ゼンマイやモータ等の駆動源を用いて連続的に液体を噴出できる水鉄砲玩具が提案されている（例えば、特許文献１、２参照）。
【特許文献１】実開昭６４−４６０９７号公報
【特許文献２】実開昭５１−３１６８９号公報
【発明の開示】
【発明が解決しようとする課題】
【０００３】
前記特許文献１で開示される水鉄砲玩具は、水面に浮遊可能な玩具本体をゼンマイ機構により遊泳させると共に、蛇腹ポンプを押圧して水面からタンク内に液体を供給し、噴水口から噴射してなる、ゼンマイ機構を利用した遊泳とポンプを利用した水鉄砲遊びを同時に具備するものである。前記玩具は、２つのアクションを同時に起こすことができるものであるが、水面に浮遊した状態でしか水鉄砲を使用できないため、使用者が手に持って使用することや、陸上に置いて使用することができなかった。
また、特許文献２で開示される水鉄砲玩具は、乾電池によりモータを作動させてタンク内の液体を噴射するため、把持した状態で連続的に液体を噴出できるものであるが、玩具内部の機構が複雑になると共に、重量が増加してしまうものであった。また、電気回路を内蔵するため、本体内に液体が入らないように確実な防水機構を設ける必要があった。
【０００４】
本発明は、複雑な構造や機構を設けることなく軽量に構成し、連続的に液体を噴射できると共に、浸水による故障の発生がない、水中以外で使用できる水鉄砲玩具を提供するものである。更に、ゼンマイの巻き上げ時及び巻き戻り時においても興趣に富んだアクションを起こす水鉄砲玩具を提供するものである。
【課題を解決するための手段】
【０００５】
本発明は、巻き軸を介して巻き上げられるゼンマイ機構と、該ゼンマイ機構の回転出力を往復運動に変換するクランク機構と、該往復運動によりシリンダ内の液体を吐出口から噴射するポンプ機構と、該ポンプ機構と接続される弁体を備えた流通路を有する液体タンクと、前記ゼンマイ機構の作動停止をコントロールするスイッチ機構とからなる水鉄砲玩具を要件とする。
更に、前記ゼンマイ機構の巻き軸に着脱可能な形象物を設けてなることを要件とする。
【発明の効果】
【０００６】
本発明の請求項１により、本体を把持して使用する等、水中以外で使用できる水鉄砲玩具を、複雑な構造や機構を設けることなく連続的に液体を噴射できると共に、内部への浸水を抑制する防水機構を設ける必要がなく、軽量且つ安価に構成できるものとなる。
【０００７】
請求項２により、ゼンマイの巻き上げ時や巻き戻り時においても興趣に富んだアクションを起こすものとなる。
【発明を実施するための最良の形態】
【０００８】
本発明の水鉄砲玩具は、ゼンマイ機構と、ポンプ機構と、クランク機構と、スイッチ機構と、液体タンクとを備え、前記液体タンクより誘導される液体を、ゼンマイ機構の駆動力を利用して噴射するものである。
【０００９】
前記ゼンマイ機構は、巻き軸を介して一定方向に巻き上げられるタイプのゼンマイが用いられる。前記巻き軸には、手巻き式、プルバック式、プルストリング式等に適した構造を設けることができる。
更に、前記巻き軸には、直接又は接続部材を介して各種形象物を着脱自在に設けることが好ましい。それによりゼンマイの巻き上げ時や巻き戻り時に前記形象物が回転するため、視覚的により興趣に富んだアクションを起こすものとなる。
【００１０】
前記ポンプ機構は、液体を噴出する噴出口と液体を供給する流入口とを有するシリンダと、該シリンダ内を往復運動するピストンとから構成されるものであり、前記ゼンマイ機構による回転出力を、クランク機構を介して往復運動に変換することによりピストンが可動する構造を有する。それにより、シリンダ内の液体を噴出口から噴射することが可能となる。また、前記噴出口には、噴射される液体の形状を切り替える手段や、噴射方向や角度を自在に変える手段を設けることもできる。
【００１１】
更に、前記シリンダ内に供給される液体は、流通路を有する液体タンクに保持されており、流通路を経由して流入口から供給される。また、前記流通路には弁体が設けられており、ピストンの作動により開閉する汎用の構造のものが用いられている。
【００１２】
前記ゼンマイ機構の作動・停止をコントロールするためのスイッチ機構としては、押圧式、スライド式、トリガー式等の汎用の機構が用いられる。
前記スイッチ機構は、クランク機構やポンプ機構の作動・停止をコントロールすることにより間接的にゼンマイ機構の動作をコントロールする構成であってもよい。
【実施例】
【００１３】
本発明の実施例を以下の図面に従って説明する。
図１は本発明の水鉄砲玩具の縦断面図である。
本発明の水鉄砲玩具１は、合成樹脂製のピストルを模した本体２の内部に、ポンプユニット５と、駆動源となるゼンマイユニット３を内蔵し、該ゼンマイを巻くための巻き軸３１には、端部に指を掛けるためのリング３５を備えた紐３４が巻かれたプルストリング用プーリ３３が設けられている。
更に、前記巻き軸３１に設けられるプーリ３３には、人形形態の形象物８が着脱可能に配置されている。
【００１４】
また、前記ゼンマイユニット３の出力軸３２には、ポンプユニット５を構成するシリンダ５１から延設されるピストン軸５２に緩挿されてなるクランク４が設けられており、ゼンマイによる回転運動を往復運動に変換する形状を有している。
前記ピストン軸５２の端部には、クランク４を介してゼンマイの回転を制御するスイッチ機構となるトリガー７が当接配置されており、非押圧時にはバネ体７１によりゼンマイの回転を抑制する位置で保持され、押圧時にはゼンマイが回転する構成を有している。また、前記トリガー７は本体２の把持部２１に設けられ、片手で操作できるような大きさ及び形状に構成されている。
【００１５】
前記ポンプユニット５は、噴出口５４及び流入口５５を備えるシリンダ５３と、該シリンダ５３に組み込まれるピストン５１とから構成されており、流入口５５からシリンダ５３内に供給される液体が、ピストン５１により押圧されて噴出口５４より噴射されるものである。
更に、前記流入口５５には流通路６１が接続されており、該流通路６１の他端には上方を開放する液体タンク６が設けられている。また、流入口５５と流通路６１との接続部分には弁体６２が設けられており、ピストン５１が引かれた（ピストン軸５２方向へ移動した）際に開放され、シリンダ５３内に液体タンク６から液体を供給し、ピストン５１が押された（噴出口５４方向へ移動した）際に閉鎖されるので、流入口５５に逆流することなく噴出口５４から液体を噴射することができる。
【００１６】
前記水鉄砲玩具１のゼンマイユニット３、バネ体７１、ネジ等に用いられる金属部材は、水場での使用により錆びることを抑制するためにステンレス製にすることが好ましい。
また、前記リング３５は、リング形状以外に形象物とすることで、玩具としての興趣を増すこともできる。
【００１７】
前記水鉄砲玩具１は、リング３５を引っ張ることで紐３４を介してゼンマイが巻き上げられると共に、プーリ３３に設けられる形象物８が回転する。その後、把持部２１を握り、トリガー７を引く（押圧する）ことで、ピストン軸５２及びゼンマイユニット３が可動を開始してポンプユニット５が往復運動をするため、液体タンク６からシリンダ５３内に供給される液体が圧縮されて噴出口５４から間欠的に噴射する。その際、プーリ３３に設けられる形象物８が再び回転するものとなる。
【図面の簡単な説明】
【００１８】
【図１】本発明の水鉄砲玩具の一実施例を示す断面図である。
【符号の説明】
【００１９】
１  水鉄砲玩具
２  本体
２１  把持部
３  ゼンマイユニット
３１  巻き軸
３２  出力軸
３３  プーリ
３４  紐
３５  リング
４  クランク
５  ポンプユニット
５１  ピストン
５２  ピストン軸
５３  シリンダ
５４  噴出口
５５  流入口
６  液体タンク
６１  流通路
６２  弁体
７  トリガー
７１  バネ体
８  形象物
【図１】
2006223553.tif 000003